(57)【要約】【課題】文章・画像・動画・音声など、各種の素材が同期されたプレゼンテーションをネットワーク上で簡易かつ迅速に作成・公開すること。【解決手段】クライアント１０１はＳＭＩＳサーバ１００にログインして、作成するプレゼンテーションの構成を一連のウィザード画面により設定する。ＳＭＩＳサーバ１００では、上記設定に従ってＳＭＩＬファイルを生成するとともに、作成されたプレゼンテーションを閲覧するためのＵＲＬをクライアント１０１に通知する。クライアント１０２から上記ＵＲＬによりプレゼンテーションの閲覧が要求されると、閲覧可否の認証を経て、ＳＭＩＬファイルをはじめとする上記プレゼンテーションの構成ファイルをクライアント１０２に返信する。ＳＭＩＳサーバ１００へのファイルのアップロードは、当該ファイルを電子メールに添付して所定のアドレスに送信することで行う。【選択図】      図２０
2004240780.tif 000002
【特許請求の範囲】
【請求項１】
文章ファイルや動画ファイルなど各種の素材が同期されたプレゼンテーションをネットワーク上で公開する情報処理装置において、
前記ネットワークにより接続された第１のクライアントから前記プレゼンテーションの設定情報を受信する設定情報受信手段と、
前記設定情報受信手段により受信された設定情報にもとづいて、前記各素材の表示あるいは再生のスケジュールなどが記述されたファイルを生成するファイル生成手段と、
前記ネットワークにより接続された第２のクライアントから、前記プレゼンテーションの閲覧要求を受信する閲覧要求受信手段と、
前記閲覧要求受信手段により閲覧要求が受信されたプレゼンテーションについて前記ファイル生成手段により生成されたファイルを、前記第２のクライアントに送信するファイル送信手段と、
を備えたことを特徴とする情報処理装置。
【請求項２】
前記ファイル生成手段により生成されるファイルはＳＭＩＬファイルであることを特徴とする前記請求項１に記載の情報処理装置。
【請求項３】
さらに、前記第１のクライアントから送信されてきた電子メールを受信する電子メール受信手段と、
前記電子メール受信手段により受信された電子メールの送信元アドレスが、あらかじめ登録されたユーザの電子メールアドレスと一致するか否かを判定する判定手段と、
前記判定手段により、前記送信元アドレスがあらかじめ登録されたユーザの電子メールアドレスと一致すると判定された場合に、前記電子メールに添付されたファイルを前記ユーザのディレクトリに保存するファイル保存手段と、
を備えたことを特徴とする前記請求項１または請求項２に記載の情報処理装置。
【請求項４】
文章ファイルや動画ファイルなど各種の素材が同期されたプレゼンテーションをネットワーク上で公開する情報処理方法において、
前記ネットワークにより接続された第１のクライアントから前記プレゼンテーションの設定情報を受信する設定情報受信工程と、
前記設定情報受信工程で受信された設定情報にもとづいて、前記各素材の表示あるいは再生のスケジュールなどが記述されたファイルを生成するファイル生成工程と、
前記ネットワークにより接続された第２のクライアントから、前記プレゼンテーションの閲覧要求を受信する閲覧要求受信工程と、
前記閲覧要求受信工程で閲覧要求が受信されたプレゼンテーションについて前記ファイル生成工程で生成されたファイルを、前記第２のクライアントに送信するファイル送信工程と、
を含んだことを特徴とする情報処理方法。
【請求項５】
前記ファイル生成工程で生成されるファイルはＳＭＩＬファイルであることを特徴とする前記請求項４に記載の情報処理方法。
【請求項６】
さらに、前記第１のクライアントから送信されてきた電子メールを受信する電子メール受信工程と、
前記電子メール受信工程で受信された電子メールの送信元アドレスが、あらかじめ登録されたユーザの電子メールアドレスと一致するか否かを判定する判定工程と、
前記判定工程で、前記送信元アドレスがあらかじめ登録されたユーザの電子メールアドレスと一致すると判定された場合に、前記電子メールに添付されたファイルを前記ユーザのディレクトリに保存するファイル保存工程と、
を含んだことを特徴とする前記請求項４または請求項５に記載の情報処理方法。
【請求項７】
前記請求項４〜請求項６のいずれか一つに記載された方法をコンピュータに実行させるプログラム。
【発明の詳細な説明】
【０００１】
【発明の属する技術分野】
この発明は、文章ファイルや動画ファイルなど各種の素材が同期されたプレゼンテーションをネットワーク上で公開する情報処理装置、情報処理方法およびその方法をコンピュータに実行させるプログラムに関する。
【０００２】
【従来の技術】
ここ数年のインターネット人口の爆発的な増加に伴い、従来、ＴＶや新聞などのマスメディアを通じて提供されていたニュース、製品紹介、企業紹介などの各種情報が、ＷＷＷサーバ上のホームページで電子的に提供されるようになってきている。そして、ＡＤＳＬやＩＳＤＮといった広帯域の通信網が普及し、個人が所有する機器の処理能力も向上していることから、インターネットで開設されるホームページも、より複雑で凝った構成のものが増えてきている。
【０００３】
そして、こうしたページの中には文章（ｔｅｘｔ）や画像（ｉｍｇ）、動画（ｖｉｄｅｏ）や音声（ａｕｄｉｏ）などを一画面内に組み合わせ、かつ個々の素材の表示・再生のタイミングを制御して同期させることで、従来のホームページの概念を超えた、いわゆるマルチメディア・プレゼンテーションを実現しているものがある。たとえば一画面が左右に分割され、左側に配置された動画の再生の進行に合わせて、右側に配置された文章が順次切り替わってゆくようなページである。
【０００４】
【発明が解決しようとする課題】
もっともこうした複雑なホームページは、専用のソフトウエアやデザイン的なセンスが必要となることから、従来は専門の代行業者に委託して作成させることが多かった。そのため時間や費用がかかるという問題があり、特に時間については依頼から納品まで１〜２週間かかるのが通例で、媒体としてインターネットを採用していながら、事実上機動的な情報発信ができないという問題があった。
【０００５】
この発明は上記従来技術による問題を解決するため、文章ファイルや動画ファイルなど各種の素材が同期されたプレゼンテーションをネットワーク上で簡易かつ迅速に作成・公開することが可能な情報処理装置、情報処理方法およびその方法をコンピュータに実行させるプログラムを提供することを目的とする。
【０００６】
【課題を解決するための手段】
上述した課題を解決し、目的を達成するため、請求項１に記載の発明にかかる情報処理装置は、文章ファイルや動画ファイルなど各種の素材が同期されたプレゼンテーションをネットワーク上で公開する情報処理装置において、前記ネットワークにより接続された第１のクライアントから前記プレゼンテーションの設定情報を受信する設定情報受信手段と、前記設定情報受信手段により受信された設定情報にもとづいて、前記各素材の表示あるいは再生のスケジュールなどが記述されたファイルを生成するファイル生成手段と、前記ネットワークにより接続された第２のクライアントから、前記プレゼンテーションの閲覧要求を受信する閲覧要求受信手段と、前記閲覧要求受信手段により閲覧要求が受信されたプレゼンテーションについて前記ファイル生成手段により生成されたファイルを、前記第２のクライアントに送信するファイル送信手段と、を備えたことを特徴とする。
【０００７】
この請求項１に記載の発明によれば、第１のクライアントのユーザがオンラインで設定した各素材の表示・再生のスケジュールが、所定形式のファイルとしてサーバで自動生成されるとともに、当該ファイルが当該サーバから第２のクライアントのユーザに交付される。
【０００８】
また、請求項２に記載の発明にかかる情報処理装置は、前記請求項１に記載の発明において、前記ファイル生成手段により生成されるファイルがＳＭＩＬファイルであることを特徴とする。
【０００９】
この請求項２に記載の発明によれば、第１のクライアントのユーザがオンラインで設定した各素材の表示・再生のスケジュールが、ＳＭＩＬ形式のファイルとしてサーバで自動生成されるとともに、当該ファイルが当該サーバから第２のクライアントのユーザに交付される。
【００１０】
また、請求項３に記載の発明にかかる情報処理装置は、前記請求項１または請求項２に記載の発明において、さらに、前記第１のクライアントから送信されてきた電子メールを受信する電子メール受信手段と、前記電子メール受信手段により受信された電子メールの送信元アドレスが、あらかじめ登録されたユーザの電子メールアドレスと一致するか否かを判定する判定手段と、前記判定手段により、前記送信元アドレスがあらかじめ登録されたユーザの電子メールアドレスと一致すると判定された場合に、前記電子メールに添付されたファイルを前記ユーザのディレクトリに保存するファイル保存手段と、を備えたことを特徴とする。
【００１１】
この請求項３に記載の発明によれば、電子メールにファイルを添付して送信するだけで、当該ファイルをサーバにアップロードできる。
【００１２】
また、請求項４に記載の発明にかかる情報処理方法は、文章ファイルや動画ファイルなど各種の素材が同期されたプレゼンテーションをネットワーク上で公開する情報処理方法において、前記ネットワークにより接続された第１のクライアントから前記プレゼンテーションの設定情報を受信する設定情報受信工程と、前記設定情報受信工程で受信された設定情報にもとづいて、前記各素材の表示あるいは再生のスケジュールなどが記述されたファイルを生成するファイル生成工程と、前記ネットワークにより接続された第２のクライアントから、前記プレゼンテーションの閲覧要求を受信する閲覧要求受信工程と、前記閲覧要求受信工程で閲覧要求が受信されたプレゼンテーションについて前記ファイル生成工程で生成されたファイルを、前記第２のクライアントに送信するファイル送信工程と、を含んだことを特徴とする。
【００１３】
この請求項４に記載の発明によれば、第１のクライアントのユーザがオンラインで設定した各素材の表示・再生のスケジュールが、所定形式のファイルとしてサーバで自動生成されるとともに、当該ファイルが当該サーバから第２のクライアントのユーザに交付される。
【００１４】
また、請求項５に記載の発明にかかる情報処理方法は、前記請求項４に記載の発明において、前記ファイル生成工程で生成されるファイルがＳＭＩＬファイルであることを特徴とする。
【００１５】
この請求項５に記載の発明によれば、第１のクライアントのユーザがオンラインで設定した各素材の表示・再生のスケジュールが、ＳＭＩＬ形式のファイルとしてサーバで自動生成されるとともに、当該ファイルが当該サーバから第２のクライアントのユーザに交付される。
【００１６】
また、請求項６に記載の発明にかかる情報処理方法は、前記請求項４または請求項５に記載の発明において、さらに、前記第１のクライアントから送信されてきた電子メールを受信する電子メール受信工程と、前記電子メール受信工程で受信された電子メールの送信元アドレスが、あらかじめ登録されたユーザの電子メールアドレスと一致するか否かを判定する判定工程と、前記判定工程で、前記送信元アドレスがあらかじめ登録されたユーザの電子メールアドレスと一致すると判定された場合に、前記電子メールに添付されたファイルを前記ユーザのディレクトリに保存するファイル保存工程と、を含んだことを特徴とする。
【００１７】
この請求項６に記載の発明によれば、電子メールにファイルを添付して送信するだけで、当該ファイルをサーバにアップロードできる。
【００１８】
また、請求項７に記載の発明にかかるプログラムによれば、前記請求項４〜請求項６のいずれか一つに記載された方法がコンピュータによって実行される。
【００１９】
【発明の実施の形態】
以下に添付図面を参照して、この発明による情報処理装置、情報処理方法およびその方法をコンピュータに実行させるプログラムの好適な実施の形態を詳細に説明する。
【００２０】
図１は、この発明の実施の形態によるプレゼンテーション作成・公開システムの全体構成を示す説明図である。１００は、本発明による情報処理装置に相当するＳＭＩＳサーバ（ＳＭＩＳ：Ｓｙｎｃｈｒｏｎｉｚｅｄ  Ｍｕｌｔｉｍｅｄｉａ  Ｉｎｔｅｇｒａｔｉｏｎ  Ｓｅｒｖｅｒ）である。
【００２１】
ＳＭＩＳサーバ１００は、本システムのユーザの指示に従って文章・画像・動画・音声など各種の素材が混在したプレゼンテーションを作成するとともに、作成したプレゼンテーションをインターネットで公開する機能を備えている。なお、ＳＭＩＳサーバ１００のＯＳはＬｉｎｕｘ（Ｒ）、Ｓｏｌａｒｉｓ（Ｒ）あるいはＷｉｎｄｏｗｓ（Ｒ）などであるものとする。
【００２２】
図２は、ＳＭＩＳサーバ１００上で作成・公開されるプレゼンテーションの一例を示す説明図である。図示するプレゼンテーションでは一画面が左右に分割され、左フレーム２００にプレイヤー２００ａ（動画などを再生するアプリケーション、具体的にはたとえば「ＲｅａｌＯｎｅＰｌａｙｅｒ（Ｒ）」）が配置されている。このプレイヤー２００ａで再生される動画や音声の進行とともに、右フレーム２０１内のＨＴＭＬファイルが順次切り替えて表示される。なお、左フレーム２００には目次領域２００ｂが設けられ、実行中のプレゼンテーションの目次が表示される。
【００２３】
図１に戻り、次に１０１および１０２はＳＭＩＳサーバ１００のクライアントである。ここではたとえばクライアント１０１は、ＳＭＩＳサーバ１００が提供する機能を利用してプレゼンテーションを作成・編集するユーザのＰＣ、クライアント１０２はＳＭＩＳサーバ１００が提供する機能を利用して、上記により作成・編集されたプレゼンテーションを閲覧するユーザのＰＣである。
【００２４】
なお、クライアント１０１および１０２としてはＰＣに限らず、たとえばインターネットに接続可能な携帯電話やＰＤＡ、あるいは自家用車などに搭載されるナビゲーションシステムなどであってもよい。より詳細には、ユーザ環境に必要なソフトウエアは、プレゼンテーションを作成・編集するユーザの場合は一般的なブラウザ（「Ｉｎｔｅｒｎｅｔ  Ｅｘｐｌｏｒｅｒ」など）、プレゼンテーションを閲覧するユーザの場合は上記ブラウザと、プレゼンテーションを構成する個々の素材を表示・再生するための後述するＳＭＩＬファイルに対応したアプリケーション（「ＲｅａｌＯｎｅＰｌａｙｅｒ（Ｒ）」など）だけである。
【００２５】
１０３は素材サーバであり、ＳＭＩＳサーバ１００で作成されたプレゼンテーションを構成する個々の素材のファイルを保持している。後述のようにＳＭＩＳサーバ１００では、ＳＭＩＳサーバ１００自身が保持するデータやプログラム（ＣＧＩなど）だけでなく、インターネット上の他のサーバ、ここでは素材サーバ１０３が保持する任意のデータやプログラムを組み込んだプレゼンテーションの作成が可能である。
【００２６】
なお、同図には素材サーバ１０３を一つしか示していないが、素材を保持するサーバはインターネット上に無数に存在する。逆に言えば、インターネット上に無数に存在する素材サーバ１０３上の素材を利用してプレゼンテーションの作成が可能である。また、素材サーバ１０３のプロトコルはＨＴＴＰ、ＲＴＳＰなど何であってもよい。
【００２７】
図３は、この発明の実施の形態によるプレゼンテーション作成・公開システムを構成する個々の機器、すなわち図１に示したＳＭＩＳサーバ１００〜素材サーバ１０３のハードウエア構成の一例を示す説明図である。説明の便宜上、ＳＭＩＳサーバ１００〜素材サーバ１０３はいずれも同一のハードウエア構成を有するものとする。
【００２８】
図中、３０１は装置全体を制御するＣＰＵを、３０２は基本入出力プログラムを記憶したＲＯＭを、３０３はＣＰＵ３０１のワークエリアとして使用されるＲＡＭを、それぞれ示している。
【００２９】
また、３０４はＣＰＵ３０１の制御にしたがってＨＤ（ハードディスク）３０５に対するデータのリード／ライトを制御するＨＤＤ（ハードディスクドライブ）を、３０５はＨＤＤ３０４の制御にしたがって書き込まれたデータを記憶するＨＤを、それぞれ示している。また、３０６はＣＰＵ３０１の制御にしたがってＦＤ（フレキシブルディスク）３０７に対するデータのリード／ライトを制御するＦＤＤ（フレキシブルディスクドライブ）を、３０７はＦＤＤ３０６の制御にしたがって書き込まれたデータを記憶する着脱自在のＦＤを、それぞれ示している。
【００３０】
また、３０８はＣＰＵ３０１の制御にしたがってＣＤ−ＲＷ３０９に対するデータのリード／ライトを制御するＣＤ−ＲＷドライブを、３０９はＣＤ−ＲＷドライブ３０８の制御にしたがって書き込まれたデータを記憶する着脱自在のＣＤ−ＲＷを、それぞれ示している。
【００３１】
また、３１０はカーソル、メニュー、ウィンドウ、あるいは文字や画像などの各種データを表示するディスプレイを、３１１は文字、数値、各種指示などの入力のための複数のキーを備えたキーボードを、３１２は各種指示の選択や実行、処理対象の選択、マウスポインタの移動などをおこなうマウスを、それぞれ示している。また、３１３は通信ケーブル３１４を介してインターネットに接続され、当該ネットワークとＣＰＵ３０１とのインターフェースとして機能するネットワークＩ／Ｆを、３００は上記各部を接続するためのバスを、それぞれ示している。
【００３２】
つぎに、図４はこの発明の実施の形態によるプレゼンテーション作成・公開システムの機能構成を示す説明図である。図中、４００ｘはＳＭＩＳサーバ１００、４０１ｘはＳＭＩＳサーバ１００上でプレゼンテーションを作成・編集するクライアント１０１、４０２ｘはＳＭＩＳサーバ１００上のプレゼンテーションを閲覧するクライアント１０２、４０３ｘは素材サーバ１０３の機能部である。
【００３３】
４００ａはユーザＤＢ（データベース）であり、ＳＭＩＳサーバ１００を利用するユーザの氏名（あるいは会社名）、住所（あるいは所在地）、電話番号、電子メールアドレスなどのほか、自動採番されたユーザ番号、当該ユーザがＳＭＩＳサーバ１００へのログイン時に使用するログインＩＤおよびパスワードを対応づけて保持するデータベースである。
【００３４】
４００ｂはログイン受付部であり、クライアント１０１からログインＩＤとパスワードとを受信して、ＳＭＩＳサーバ１００へのログインの可否を判定するとともに、ログイン可の場合に後述するメイン画面を返信する機能部である。
【００３５】
クライアント１０１からのアクセスがあると、ＳＭＩＳサーバ１００はまずそのログイン受付部４００ｂにより、図５に示すようなログイン画面を返信する。これを受けたクライアント１０１は、上記画面を表示してユーザからの入力待ちとなり、図中「ＡＵＴＨ」ボタン５００が押下されると、入力されたログインＩＤとパスワードとをログイン受付部４００ｂに送信する。
【００３６】
ログイン受付部４００ｂはユーザＤＢ４００ａを検索して、上記ログインＩＤとパスワードとを有するユーザが存在する場合は、図６に示すようなメイン画面を、存在しない場合はログイン不可の旨のエラー画面を、それぞれクライアント１０１に返信する。
【００３７】
図４に戻り、次に４００ｃはプレゼンテーション作成部であり、後述する一連の画面により、新規のプレゼンテーションの構成を設定させる機能部である。クライアント１０１で、図６に示したメイン画面の「ＮＥＷ」ボタン６００が押下されると、プレゼンテーション作成部４００ｃはクライアント１０１からの要求を受けて、図７に示すような画面を返信する。
【００３８】
図示する画面では、プレゼンテーションの名称、全体のレイアウトなどを設定する。なお、「プレイヤー位置」とは画面全体に対するプレイヤー２００ａの位置（左または右のいずれかから選択。図２の例では左）、「プレイヤーサイズ」とはプレイヤー２００ａのサイズ（小・中・大のいずれかから選択）、「プレイヤーフレーム背景」とはプレイヤー２００ａが配置されるフレーム（図２の例では左フレーム２００）の背景画像、「プレイヤーフレーム目次背景」とは上記フレーム内に配置される目次領域２００ｂの背景画像である。
【００３９】
そして、図７の画面で「ＲＥＧＩＳＴ」ボタン７００を押下すると、上記画面の設定内容がクライアント１０１からＳＭＩＳサーバ１００のプレゼンテーション作成部４００ｃへ送信され、後述するプレゼンテーションＤＢ４００ｄに格納される。また、同時に図８に示すような次画面の転送要求が発せられ、これを受けたプレゼンテーション作成部４００ｃは、当該画面をクライアント１０１に返信する。なお、図７中「ＮＥＸＴ」ボタン７０１を押下した場合は、ＳＭＩＳサーバ１００からクライアント１０１へ図８の画面が返信されるのみである。
【００４０】
図８の画面では、プレゼンテーションの著作権に関する情報を設定する。具体的にはそのタイトル（図７の画面で設定した「名称」とは同一でなくともよい）や著作権者などである。
【００４１】
そして、図中「ＲＥＧＩＳＴ」ボタン８００を押下すると、上記画面の設定内容がクライアント１０１からＳＭＩＳサーバ１００のプレゼンテーション作成部４００ｃへ送信され、後述するプレゼンテーションＤＢ４００ｄに格納される。また、同時に図９に示すような次画面の転送要求が発せられ、これを受けたプレゼンテーション作成部４００ｃは、当該画面をクライアント１０１に返信する。なお、図８中「ＮＥＸＴ」ボタン８０１を押下した場合は、ＳＭＩＳサーバ１００からクライアント１０１へ図９の画面が返信されるのみである。
【００４２】
図９の画面で「ＹＥＳ」ボタン９００を押下すると、図１０に示すような次画面の転送要求が発せられ、これを受けたプレゼンテーション作成部４００ｃは、当該画面をクライアント１０１に返信する。図示する画面では、特に動画の切り替えに際して設定したい特殊効果を選択する。特殊効果とは具体的には、先に再生された動画１の映像を左から右へ押し出すようにして、後に再生される動画２の映像がフェードインしたり、動画１の映像の中央から動画２の映像がフェードインしたりといった特殊な動画切り替えのことである。
【００４３】
図中、右フレームの「特殊効果タイプ」のリストから任意の特殊効果を選択して「ＲＥＧＩＳＴ」ボタン１０００を押下すると、上記画面の設定内容がクライアント１０１からＳＭＩＳサーバ１００のプレゼンテーション作成部４００ｃへ送信され、後述するプレゼンテーションＤＢ４００ｄに格納される。また、プレゼンテーション作成部４００ｃは上記で選択された特殊効果の名称を左フレームの「特殊効果リスト」に追加し、更新後のフレームをクライアント１０１に返信する（クライアント１０１では「特殊効果リスト」がリフレッシュされる）。
【００４４】
また、図中「ＮＥＸＴ」ボタン１００１を押下すると、図１１に示すような次画面の転送要求が発せられ、これを受けたプレゼンテーション作成部４００ｃは、当該画面をクライアント１０１に返信する。なお、図９の画面で「ＮＯ」ボタン９０１を押下した場合は、図１０の画面をスキップして直接図１１の画面に移行する。
【００４５】
図１１の画面では、プレゼンテーションを構成する個々の素材の表示・再生のスケジュールや態様、たとえばその開始や終了のタイミング、継続時間、切り替え時の特殊効果などを設定する。図中「目次」として設定された文字列は、完成したプレゼンテーションでは、プレイヤー２００ａが配置されるフレーム内の目次領域２００ｂ（図２参照）に一覧表示される。
【００４６】
また、図中「メディアファイル名」では、画像・動画・音声のファイル名（当該ファイルがＳＭＩＳサーバ１００上にある場合）またはＵＲＬ（当該ファイルが他の素材サーバ１０３上にある場合）を入力し、図中「メディアタイプ」では当該ファイルの種類をｉｍｇ・ｖｉｄｅｏ・ａｕｄｉｏのいずれかから選択する。なお、動画や音声の一部だけ（最初の１０秒目から３０秒目まで、など）を再生する場合は、図中「ＴＳ」ボタン１１００を押下することで図１２のような画面を表示させ、再生範囲を秒単位で設定する。
【００４７】
また、図１１の画面で「Ｐａｒａｌｌｅｌ」ボタン１１０１を押下すると、図１３に示すような画面が表示され、「メディアファイル名」で指定されたファイルと同時に表示・再生する画像や動画あるいは音声を指定できる。たとえば図１１の画面で「メディアファイル名」に無音声の動画を、「同時実行メディア」に図１３の画面により音声（ＢＧＭ）を、それぞれ設定することで、これらの動画と音声とを同時に再生させることができる。
【００４８】
また、図１１の画面の「特殊効果」では、「メディアタイプ」が「ｖｉｄｅｏ」である場合に限り、図１０の画面であらかじめ選択した特殊効果の中からいずれか一つを選択できる。
【００４９】
また、図１１の画面の「ＷＥＢ」ボタン１１０２を押下すると、図１４に示すような画面が表示され、「メディアファイル名」で指定された画像・動画あるいは音声と同時に表示するＨＴＭＬファイルを指定できる。一つの画像・動画あるいは音声に対して、ＨＴＭＬファイルは１０個まで指定でき、それぞれの表示時間を秒単位で設定できる。たとえば２０秒の動画の再生と平行して、ＨＴＭＬファイル１を１０秒間、ＨＴＭＬファイル２を５秒間、ＨＴＭＬファイル３を１５秒間、順次切り替えて表示させるようなことが可能である。
【００５０】
また、図１１の画面の「Ｐｒｏｐｅｒｔｙ」ボタン１１０３を押下すると、図１５に示すような画面が表示され、プレゼンテーション全体の動作を設定することができる。図中「開始遅延時間」には、プレゼンテーションの開始を意図的に遅延させる必要がある場合に、必要秒数を入力する。「映像処理」ではプレゼンテーションに使用した動画を、プレゼンテーション終了と同時にブラックアウトするか（「再生終了即画像除去」）、最終コマを表示したままにするか（「全体終了まで画像固定」）を選択する。また、「繰返し回数」にはプレゼンテーション全体の繰返し回数を入力する。
【００５１】
さらに「チャンネル認証」では、プレゼンテーションの公開対象を限定したい場合（閲覧を要求するユーザについて認証を実施したい場合）に「有」を設定する。この場合後述のように、上記画面の「アカウント」で指定された文字列を知らないユーザはプレゼンテーションを閲覧できない。なお、「チャンネル認証」が「無」に設定されている場合は、作成されたプレゼンテーションはＳＭＩＳサーバ１００にアクセス可能なすべてのユーザが閲覧可能である。
【００５２】
また、図１１の画面の「ＲＥＧＩＳＴ」ボタン１１０４を押下すると、上記画面の設定内容がクライアント１０１からＳＭＩＳサーバ１００のプレゼンテーション作成部４００ｃへ送信され、後述するプレゼンテーションＤＢ４００ｄに格納される。そして、後述するファイル生成部４００ｅによる必要なファイルの生成と、ファイル記憶部４００ｆへのその保存の後、プレゼンテーション作成部４００ｃは図１６に示すような画面をクライアント１０１に返信する。図示する画面には、作成されたプレゼンテーションを閲覧するためのＵＲＬが記述されている。
【００５３】
図４に戻り、次に４００ｄはプレゼンテーションＤＢであり、図７〜図１５の各画面で設定された内容のほか、自動採番されたプレゼンテーション番号、後述するファイル生成部４００ｅにより生成されたファイルのファイル名、後述するステータス（プレゼンテーションが現在公開中であるか否か）、作成日時、作成元のユーザ番号などを対応づけて保持するデータベースである。
【００５４】
４００ｅはファイル生成部であり、プレゼンテーションＤＢ４００ｄに保持されたプレゼンテーションの構成に従って、個々の素材のファイル以外に当該プレゼンテーションに必要なファイル、たとえばフレームを記述するＨＴＭＬファイルや、図７〜図１５の各画面により設定された設定情報と等価のＳＭＩＬファイルなどを自動生成する機能部である。
【００５５】
ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）とは、１９９８年にＷ３Ｃが認証・勧告したＷＷＷ用のマークアップ言語で、たとえば＜ｓｅｑ＞＜／ｓｅｑ＞タグ内で複数の動画を指定すれば順次再生、＜ｐａｒ＞＜／ｐａｒ＞タグ内で動画と音声を指定すれば同時再生というように、個々の素材の表示・再生のスケジュールなどを詳細に記述できるものである。図７〜図１５の各画面で設定された内容は、すべてこのＳＭＩＬにより記述することが可能である。
【００５６】
４００ｆはファイル記憶部であり、ファイル生成部４００ｅにより生成された各種ファイルや、クライアント１０１から送信されてきた任意のファイルを、ユーザごとのディレクトリに分類して保持する機能部である。
【００５７】
４００ｇはプレゼンテーション編集部であり、プレゼンテーション作成部４００ｃにより作成されたプレゼンテーションに対する編集（修正・変更など）を受け付ける機能部である。
【００５８】
図６に示したメイン画面中、６０１はプレゼンテーションリスト、６０２はジョブメニューである。プレゼンテーションリスト６０１には、ログイン中のユーザが作成したすべてのプレゼンテーションの名称が列記される（ログイン受付部４００ｂは、入力されたログインＩＤとパスワードとの一致するユーザがユーザＤＢ４００ａ中にあった場合に、当該ユーザのユーザ番号でプレゼンテーションＤＢ４００ｄを検索し、当該ユーザが作成元となっているすべてのプレゼンテーションの名称を上記メイン画面にはめ込む）。
【００５９】
また、ジョブメニュー６０２には既存のプレゼンテーションについて実行可能な作業が列記される。作業とは具体的には下記の通りである。
（１）プレゼンテーションの編集
▲１▼名称、全体のレイアウトなどの再設定（図７）
▲２▼著作権に関する情報の再設定（図８）
▲３▼特殊効果の再設定（図１０）
▲４▼スケジュールの再設定（図１１〜図１５）
（２）プレゼンテーションのプレビュー
（３）プレゼンテーションの一覧表示
（４）ファイルの一覧表示
【００６０】
プレゼンテーションリスト６０１で任意のプレゼンテーションを選択し、さらにジョブメニュー６０２でたとえば（１）▲２▼を選択のうえ、「Ｊ」ボタン６０３を押下すると、クライアント１０１からＳＭＩＳサーバ１００のプレゼンテーション編集部４００ｇへ図８の画面の転送要求が送信される。
【００６１】
これを受けたプレゼンテーション編集部４００ｇでは、プレゼンテーションＤＢ４００ｄを検索して選択されたプレゼンテーションのレコードを読み出し、現在の設定内容を図８の画面に記入のうえ、クライアント１０１に返信する。すなわち、指定されたプレゼンテーションの著作権情報がクライアント１０１側へ読み出される。この画面で著作権情報を修正して「ＲＥＧＩＳＴ」ボタン８００を押下すると、プレゼンテーションＤＢ４００ｄが更新されるとともに、ファイル生成部４００ｅにより更新後の情報にもとづいてＳＭＩＬファイルが再作成される。
【００６２】
また、ジョブメニュー６０２でたとえば（３）を選択すると、図１７に示すように、ログイン中のユーザが作成したすべてのプレゼンテーションを一覧表示できる。図中「ステータス」とはプレゼンテーションが現在公開中であるか否かを意味しており、「有効」が選択されていれば他のユーザから閲覧可能な状態、「無効」が選択されていれば他のユーザから閲覧不可の状態（作成元だけが見ることのできる非公開の状態）である。なお、「無効」が設定されたプレゼンテーションは、プレゼンテーションリスト６０１には表示されない。
【００６３】
ステータスを選び直して「Ｓｔａｔｕｓ  Ｃｈａｎｇｅ」ボタン１７００を押下することで、その事実がクライアント１０１からＳＭＩＳサーバ１００のプレゼンテーション編集部４００ｇに通知され、プレゼンテーションＤＢ４００ｄの設定内容が書き換えられる結果、ステータスを公開から非公開、あるいは非公開から公開へ変更することができる。
【００６４】
なお、図中「削除」を選択して上記ボタンを押下すると、これを受けたプレゼンテーション編集部４００ｇは、プレゼンテーションＤＢ４００ｄから当該プレゼンテーションのレコードを削除するとともに、ファイル生成部４００ｅにより生成されたファイルをファイル記憶部４００ｆから削除する。
【００６５】
また、図６のジョブメニュー６０２でたとえば（４）を選択すると、図１８に示すように、ログイン中のユーザがＳＭＩＳサーバ１００にアップロードしたファイルを一覧表示できる。ファイルを削除するには、そのチェックボックスにチェックを入れて「削除」ボタン１８００を押下する。逆にファイルを追加したり更新したりするには、後述のように、当該ファイルを添付した電子メールを所定の電子メールアドレスに送信する。
【００６６】
図４に戻り、次に４００ｈはファイル受信部であり、クライアント１０１から送信されてきた電子メールを受信して、その添付ファイルをファイル記憶部４００ｆに保存する機能部である。ファイル受信部４００ｈは受信した電子メールの送信元アドレスでユーザＤＢ４００ａを検索して、当該アドレスを有するユーザが存在する場合は、ファイル記憶部４００ｆ内の当該ユーザのディレクトリに添付ファイルを保存する。なお、同名のファイルが存在する場合は、新たに受信したファイルで既存のファイルを上書きする。
【００６７】
４００ｉはプレゼンテーション公開部であり、プレゼンテーションを閲覧するクライアント１０２からの要求を受けて、その閲覧可否を判定するとともに、閲覧可の場合に当該プレゼンテーションの構成ファイルを返信する機能部である。
【００６８】
クライアント１０２のユーザが、図１６の画面で通知されたプレゼンテーションのＵＲＬ、たとえば「ｈｔｔｐ：／／ｓｍｉｓ．ｎｅｔ８．ｃｏ．ｊｐ／ｓｍｉｓ／ＳｍｉｓＳｈｏｗ．ｊｓｐ？ｃｎ＝０１」を指定してその閲覧要求を送信すると、これを受けたＳＭＩＳサーバ１００のプレゼンテーション公開部４００ｉは、まずプレゼンテーションＤＢ４００ｄを検索して、プレゼンテーション番号「０１」のプレゼンテーションのステータスをチェックする。そして、そのステータスが「有効」、すなわち当該プレゼンテーションが公開されている場合に、図１９に示すような閲覧認証画面をクライアント１０２へ返信する。
【００６９】
そして、これを受けたクライアント１０２からアカウントが送信されてくると、プレゼンテーション公開部４００ｉはプレゼンテーションＤＢ４００ｄを検索して、受信したアカウントが図１５の画面で作成元により指定されたアカウントと一致するかどうかをチェックする。そして、一致する場合にプレゼンテーション番号「０１」で特定されるプレゼンテーションの構成ファイルをファイル記憶部４００ｆから読み出して、クライアント１０２に返信する。
【００７０】
次に、プレゼンテーションを作成・編集するクライアント１０１の機能構成について説明する。まず、４０１ａはクライアント１０１側のログイン受付部であり、図５に示したログイン画面を受信・表示してログインＩＤおよびパスワードの入力を受け付けるとともに、これらの情報をＳＭＩＳサーバ１００側のログイン受付部４００ｂに送信し、ログイン可の場合に図６に示したメイン画面を受信・表示する機能部である。
【００７１】
４０１ｂはクライアント１０１側のプレゼンテーション作成部であり、図７〜１５に示した各画面を順次受信・表示してプレゼンテーションの新規作成を受け付けるとともに、各画面による設定内容をＳＭＩＳサーバ１００側のプレゼンテーション作成部４００ｃに送信する機能部である。プレゼンテーション作成部４０１ｂは、図６のメイン画面で「ＮＥＷ」ボタン６００が押下されたのを契機として上記処理を開始する。
【００７２】
４０１ｃはクライアント１０１側のプレゼンテーション編集部であり、すでに作成されているプレゼンテーションへの編集を受け付けるとともに、編集後の設定内容をＳＭＩＳサーバ１００に送信する機能部である。プレゼンテーション作成部４０１ｃは、図６のメイン画面で「Ｊ」ボタン６０３が押下されたのを契機として上記処理を開始する。
【００７３】
４０１ｄはファイル送信部であり、ＳＭＩＳサーバ１００にアップロードするファイルが添付された電子メールを作成・送信する機能部である。ファイル送信部４０１ｄは、所定のメール作成画面により送信先のメールアドレス（ＳＭＩＳサーバ１００上のファイルの追加・更新用途としてあらかじめ指定されたアドレス）と添付ファイルのパス名とを入力させ、送信元のメールアドレスにはクライアント１０１のユーザのメールアドレスを設定して、件名と本文は空白のまま上記送信先へ送信する。
【００７４】
次に、プレゼンテーションを閲覧するクライアント１０２の機能構成について説明する。４０２ａはプレゼンテーション閲覧部であり、図２に示したようなプレゼンテーションの構成ファイルをＳＭＩＳサーバ１００（および必要に応じて素材サーバ１０３）から取得するとともに、上記ファイルに含まれるＳＭＩＬファイルに従って、個々の素材を同期させながら表示・再生する（プレゼンテーションを実行する）機能部である。
【００７５】
プレゼンテーション閲覧部４０２ａは、閲覧したいプレゼンテーションのＵＲＬがユーザから入力されると、当該ＵＲＬで特定されるプレゼンテーションの閲覧要求をＳＭＩＳサーバ１００に送信する。そして、当該プレゼンテーションが公開されていれば（そのステータスが「有効」であれば）、ＳＭＩＳサーバ１００のプレゼンテーション公開部４００ｉから図１９に示した閲覧認証画面が返信されてくるので、当該画面により受け付けたアカウントをさらに返信する。
【００７６】
そして、アカウントが一致した場合にプレゼンテーション公開部４００ｉから返信されてくるファイルを参照して、欠けているファイルがあれば（たとえばＳＭＩＳサーバ１００から取り寄せたＳＭＩＬファイルが、素材サーバ１０３上のＭＰＥＧファイルを参照している場合など）、当該ファイルを保持する素材サーバ１０３に個々にアクセスしてそのデータを取得する。その後、ＳＭＩＬファイルを参照しつつプレゼンテーションを実行する。
【００７７】
次に、素材サーバ１０３の機能構成について説明する。４０３ａはファイル記憶部であり、ＳＭＩＳサーバ１００上で作成・編集されたプレゼンテーションから参照される、文章・画像・動画・音声などの各種の素材ファイルを保持する機能部である。
【００７８】
４０３ｂはファイル送信部であり、クライアント１０２のプレゼンテーション閲覧部４０２ａからの要求を受けて、指定されたファイルをファイル記憶部４０３ａから読み出すとともに、クライアント１０２に送信する機能部である。
【００７９】
次に、図２０はこの発明の実施の形態によるプレゼンテーション作成・公開システムにおける、プレゼンテーションの作成から公開までの処理の手順を示すフローチャートである。
【００８０】
まず、クライアント１０１がそのログイン受付部４０１ａから、ログインＩＤとパスワードを示してＳＭＩＳサーバ１００にログインを要求すると（ステップＳ１）、ＳＭＩＳサーバ１００のログイン受付部４００ｂはログインＩＤとパスワードをユーザＤＢ４００ａと照合して、ログインの可否を判定する（ステップＳ２）。そして、ログイン可の場合に図６に示したメイン画面のデータを返信する（ステップＳ３）。
【００８１】
上記メイン画面で「ＮＥＷ」ボタン６００が押下されると、クライアント１０１ではプレゼンテーション作成部４０１ｂが呼び出され、プレゼンテーションの構成を設定するために必要な図７〜図１５の画面の送信を、順次ＳＭＩＳサーバ１００に要求する（ステップＳ４）。ＳＭＩＳサーバ１００のプレゼンテーション作成部４００ｃは、上記要求に応じて要求された画面を順次返信する（ステップＳ５）。
【００８２】
なお、上記各画面で設定された内容は、「ＲＥＧＩＳＴ」ボタン（７００など）の押下時にクライアント１０１からＳＭＩＳサーバ１００へ送信され（ステップＳ６）、自動採番されたプレゼンテーション番号のもとに、プレゼンテーションＤＢ４００ｄに格納される。
【００８３】
図７〜図１５の各画面による設定が完了すると、ＳＭＩＳサーバ１００はそのファイル生成部４００ｅにより、プレゼンテーションＤＢ４００ｄを参照してＳＭＩＬファイルをはじめとする必要なファイルを生成し、ファイル記憶部４００ｆに保存する（ステップＳ７）。このとき、ファイル生成部４００ｅは保存したファイルのパス名をプレゼンテーションＤＢ４００ｄに登録する。
【００８４】
上記のようにしてプレゼンテーションが作成されると、プレゼンテーション作成部４００ｃは図１６の画面により、当該プレゼンテーションを閲覧するためのＵＲＬをクライアント１０１に通知する（ステップＳ８）。
【００８５】
いったん作成されたプレゼンテーションの編集の場合は、ＳＭＩＳサーバ１００から返信される図７〜図１５の画面には、当該プレゼンテーションについての現在の設定内容があらかじめ入力されている。もっとも、全体の手順は上記で説明した新規作成の場合と同様であり、まずＳＭＩＳサーバ１００にログインして図６のメイン画面を読み出し、必要な画面を順次要求して必要事項を設定・送信してゆく。ただし、編集の場合はステップＳ８のようなＵＲＬの通知はない。
【００８６】
なお、プレゼンテーションを構成する素材はインターネット上のどこにあってもよいが、必要に応じてＳＭＩＳサーバ１００にアップロードすることもできる。クライアント１０１のファイル送信部４０１ｄが表示するメール作成画面で、アップロードしたいファイルを電子メールに添付して、所定の宛先に送信する（ステップＳ９）。上記メールをそのファイル受信部４００ｈで受信したＳＭＩＳサーバ１００は、送信元アドレスからユーザを特定するとともに、ファイル記憶部４００ｆ内の当該ユーザのディレクトリに上記添付ファイルを保存する（ステップＳ１０）。
【００８７】
その後、クライアント１０２がそのプレゼンテーション閲覧部４０２ａから、プレゼンテーション番号を示してＳＭＩＳサーバ１００に閲覧を要求すると（ステップＳ１１）、ＳＭＩＳサーバ１００はそのプレゼンテーション公開部４００ｉにより、プレゼンテーションＤＢ４００ｄを検索して、上記プレゼンテーションの「ステータス」が「有効」かつ「チャンネル認証」が「有」の場合に、図１９に示した閲覧認証画面を返信する（ステップＳ１２）。
【００８８】
そして、クライアント１０２からアカウントが送信されてくると（ステップＳ１３）、プレゼンテーションＤＢ４００ｄ内のアカウントと照合することで閲覧可否を判定し（ステップＳ１４）、閲覧可の場合にファイル記憶部４００ｆに保存された、上記プレゼンテーションの構成ファイル（ＳＭＩＬファイルなど）を返信する（ステップＳ１５）。
【００８９】
クライアント１０２のプレゼンテーション閲覧部４０２ａでは、上記で受信したファイルから参照されているファイルの有無をチェックし、もし欠けているファイルがあれば、当該ファイルを保持する素材サーバ１０３にその転送要求を送信する（ステップＳ１６）。これを受けた素材サーバ１０３のファイル送信部４０３ｂは、指定されたファイルをファイル記憶部４０３ａから読み出してクライアント１０２に返信する（ステップＳ１７）。
【００９０】
以上説明した実施の形態によれば、ＳＭＩＳサーバ１００が提供する機能を利用することで、専門の代行業者を介さず、文章・画像・動画・音声など各種の素材がシンクロする複雑なプレゼンテーションを誰でも簡単に作成することができる。ＳＭＩＬなどに関する知識は不要であり、ただ表示されるウィザード画面に従って必要事項を入力するのみである。さらにはＦＴＰに関する知識も不要で、ＳＭＩＳサーバ１００にアップロードしたいファイルは、電子メールに添付して所定の宛先に送信するだけでよい。
【００９１】
なお、上述した実施の形態ではクライアント１０１のユーザが、もっぱら一人でプレゼンテーションを作成・編集するものとしたが、別のユーザが別のコンピュータから、上記ユーザと同一のログインＩＤ・パスワードでＳＭＩＳサーバ１００にログインすることで、複数人で共同して作業にあたることもできる（協業性）。また、共通のメールアドレスから電子メールを送信することで、それぞれの作業者がＳＭＩＳサーバ１００上のファイルを更新できる。各人が物理的に離れた場所にいることは問題にならない。
【００９２】
また、作成すべきプレゼンテーションが複数あるときは、複数のユーザが各自のログインＩＤとパスワードとで同時にＳＭＩＳサーバ１００にログインし、それぞれ自己の担当するプレゼンテーションを作成・編集することができる（並列処理）。
【００９３】
また、本システムではすでにインターネットで公開されている素材を２次利用できるので、代行業者に渡す資料としていったんデータを一箇所に集め、何らかの媒体に収めるといった作業が不要である。さらに、本システムではその原理上、プレゼンテーションの作成から公開までに遅延時間が発生しない。従来は必要なデータを揃えて業者に作成を依頼し、納品されたデータをさらにサーバにアップロードしていたので、データの収集や授受といった事務作業を含め何日もの時間を要していたが、本システムでかかる時間は図７〜図１５のウィザード画面で必要事項を設定し、欠けている素材をアップロードする時間のみである。
【００９４】
また、従来はいったん納品されたプレゼンテーションにつき修正・変更を加えると、それだけ費用がかさみ時間もかかるものであったが、本システムによれば事後の編集も容易である。逆に言えば、後からいくらでも手直しがきくので、ある程度まで完成していれば公開してしまうといった、正確性より迅速性を優先した機動的な情報発信が可能である。発信する情報の性質上、頻繁な更新が必要となる場合でも高度なプレゼンテーションを作成可能である。
【００９５】
また、従来はプレゼンテーションの全体を一つのファイルに格納していたため、一部を修正・変更したい場合でもファイル全体を更新する必要があったが、本システムによればプレゼンテーションを構成する多数のファイルのうち、特定のファイルだけを差し替えることが可能である（部分的な更新が可能）。なお、２次利用している素材そのものに修正・変更があった場合は、特に何もしなくとも、プレゼンテーションには常に最新のデータが反映される。
【００９６】
また、本システムではプレゼンテーションの閲覧者に、アカウントの入力を要求することができるので、友人や社員だけといったように、対象を絞った限定的な公開が可能である。
【００９７】
ただ、企業による新製品の紹介のように、誰にでも見てもらいたいプレゼンテーションではかえって煩雑となるので、たとえば「ｈｔｔｐ：／／ｓｍｉｓ．ｎｅｔ８．ｃｏ．ｊｐ／ｓｍｉｓ／ＳｍｉｓＳｈｏｗ．ｊｓｐ？ｃｎ＝０１＆ａｃ＝＊＊＊＊＊」（末尾の「＊＊＊＊＊」が図１５の画面で設定されたアカウントとする）のように、あらかじめアカウントを組み込んだＵＲＬを周知するようにしてもよい。上記のようなＵＲＬを受け取った場合、ＳＭＩＳサーバ１００のプレゼンテーション公開部４００ｉは、図１９の画面による認証処理を省略する（簡易認証）。
【００９８】
なお、上述した実施の形態ではＳＭＩＳサーバ１００でプレゼンテーションを作成後、そのままそこで公開するようにしたが、ＳＭＩＬファイルをダウンロードすればＳＭＩＳサーバ１００を介さず、ローカルで実行することも可能である。逆に、ＳＭＩＳサーバ１００が提供するプレゼンテーションの作成・編集機能をパソコン用のソフトウエアとしてパッケージ化し、上述したような一連の画面により、ＳＭＩＬファイルをローカル限りで作成できるようにしてもよい。作成したプレゼンテーションはＳＭＩＳサーバ１００のほか、インターネット上の任意のサーバで公開することができる。
【００９９】
また、上述した実施の形態では、ＳＭＩＳサーバ１００で作成されるプレゼンテーションはもっぱらＳＭＩＬファイルの記述内容に従って組み上げられるものとしたが、必ずしも上記ファイルはＳＭＩＬ形式でなくともよく、図７〜図１５の各画面による設定情報を保持できる限り、どのような形式のファイルであってもよい。ＳＭＩＬファイルはＨＴＭＬファイルと同様、テキストファイルの一種であるが、ＳＭＩＳサーバ１００で生成されるファイルはテキストファイルに限らず、たとえばＳＭＩＬファイルと意味的に等価のバイナリファイルなどであってもよい。
【０１００】
また、上述した実施の形態では、ＳＭＩＳサーバ１００で作成されたプレゼンテーションはブラウザとプレイヤーにより閲覧されるものとしたが、クライアント１０２として情報家電などを考えた場合、これらの機器には「ＲｅａｌＯｎｅＰｌａｙｅｒ（Ｒ）」などのプレイヤーしか搭載されない場合がある。
【０１０１】
そこで、図２に示したような形のプレゼンテーションばかりでなく、たとえば図２１に示すような、プレイヤー限りで閲覧可能なプレゼンテーションも作成できるようにしてもよい。図中、領域２１００ａにはＪＰＥＧなどの画像やＭＰＥＧなどの動画、領域２１００ｂにはＨＴＭＬなどの文章が、それぞれ同期されて表示・再生される。実行先のアプリケーションや全体のレイアウトが異なるだけで、作成の手順そのものは図２のプレゼンテーションと同様である。
【０１０２】
なお、上述したログイン受付部４００ｂ、プレゼンテーション作成部４００ｃ、ファイル生成部４００ｅ、プレゼンテーション編集部４００ｇ、ファイル受信部４００ｈおよびプレゼンテーション公開部４００ｉは、具体的にはＨＤ３０５などからＲＡＭ３０３に読み出されたプログラムをＣＰＵ３０１が実行することにより実現される。このプログラムはＣＤ−ＲＯＭ、ＭＯなどの各種の記録媒体に格納して配布することができ、ネットワークを介して配布することも可能である。また、ユーザＤＢ４００ａ、プレゼンテーションＤＢ４００ｄおよびファイル記憶部４００ｆは、具体的にはＨＤ３０５により実現される。
【０１０３】
【発明の効果】
以上説明したように請求項１に記載の発明は、文章ファイルや動画ファイルなど各種の素材が同期されたプレゼンテーションをネットワーク上で公開する情報処理装置において、前記ネットワークにより接続された第１のクライアントから前記プレゼンテーションの設定情報を受信する設定情報受信手段と、前記設定情報受信手段により受信された設定情報にもとづいて、前記各素材の表示あるいは再生のスケジュールなどが記述されたファイルを生成するファイル生成手段と、前記ネットワークにより接続された第２のクライアントから、前記プレゼンテーションの閲覧要求を受信する閲覧要求受信手段と、前記閲覧要求受信手段により閲覧要求が受信されたプレゼンテーションについて前記ファイル生成手段により生成されたファイルを、前記第２のクライアントに送信するファイル送信手段と、を備えたので、第１のクライアントのユーザがオンラインで設定した各素材の表示・再生のスケジュールが、所定形式のファイルとしてサーバで自動生成されるとともに、当該ファイルが当該サーバから第２のクライアントのユーザに交付され、これによって、文章ファイルや動画ファイルなど各種の素材が同期されたプレゼンテーションをネットワーク上で簡易かつ迅速に作成・公開することが可能な情報処理装置が得られるという効果を奏する。
【０１０４】
また請求項２に記載の発明は、前記請求項１に記載の発明において、前記ファイル生成手段により生成されるファイルがＳＭＩＬファイルであるので、第１のクライアントのユーザがオンラインで設定した各素材の表示・再生のスケジュールが、ＳＭＩＬ形式のファイルとしてサーバで自動生成されるとともに、当該ファイルが当該サーバから第２のクライアントのユーザに交付され、これによって、文章ファイルや動画ファイルなど各種の素材が同期されたプレゼンテーションをネットワーク上で簡易かつ迅速に作成・公開することが可能な情報処理装置が得られるという効果を奏する。
【０１０５】
また請求項３に記載の発明は、前記請求項１または請求項２に記載の発明において、さらに、前記第１のクライアントから送信されてきた電子メールを受信する電子メール受信手段と、前記電子メール受信手段により受信された電子メールの送信元アドレスが、あらかじめ登録されたユーザの電子メールアドレスと一致するか否かを判定する判定手段と、前記判定手段により、前記送信元アドレスがあらかじめ登録されたユーザの電子メールアドレスと一致すると判定された場合に、前記電子メールに添付されたファイルを前記ユーザのディレクトリに保存するファイル保存手段と、を備えたので、電子メールにファイルを添付して送信するだけで、当該ファイルをサーバにアップロードでき、これによって、文章ファイルや動画ファイルなど各種の素材が同期されたプレゼンテーションをネットワーク上で簡易かつ迅速に作成・公開することが可能な情報処理装置が得られるという効果を奏する。
【０１０６】
また、請求項４に記載の発明は、文章ファイルや動画ファイルなど各種の素材が同期されたプレゼンテーションをネットワーク上で公開する情報処理方法において、前記ネットワークにより接続された第１のクライアントから前記プレゼンテーションの設定情報を受信する設定情報受信工程と、前記設定情報受信工程で受信された設定情報にもとづいて、前記各素材の表示あるいは再生のスケジュールなどが記述されたファイルを生成するファイル生成工程と、前記ネットワークにより接続された第２のクライアントから、前記プレゼンテーションの閲覧要求を受信する閲覧要求受信工程と、前記閲覧要求受信工程で閲覧要求が受信されたプレゼンテーションについて前記ファイル生成工程で生成されたファイルを、前記第２のクライアントに送信するファイル送信工程と、を含んだので、第１のクライアントのユーザがオンラインで設定した各素材の表示・再生のスケジュールが、所定形式のファイルとしてサーバで自動生成されるとともに、当該ファイルが当該サーバから第２のクライアントのユーザに交付され、これによって、文章ファイルや動画ファイルなど各種の素材が同期されたプレゼンテーションをネットワーク上で簡易かつ迅速に作成・公開することが可能な情報処理方法が得られるという効果を奏する。
【０１０７】
また、請求項５に記載の発明は、前記請求項４に記載の発明において、前記ファイル生成工程で生成されるファイルがＳＭＩＬファイルであるので、第１のクライアントのユーザがオンラインで設定した各素材の表示・再生のスケジュールが、ＳＭＩＬ形式のファイルとしてサーバで自動生成されるとともに、当該ファイルが当該サーバから第２のクライアントのユーザに交付され、これによって、文章ファイルや動画ファイルなど各種の素材が同期されたプレゼンテーションをネットワーク上で簡易かつ迅速に作成・公開することが可能な情報処理方法が得られるという効果を奏する。
【０１０８】
また、請求項６に記載の発明は、前記請求項４または請求項５に記載の発明において、さらに、前記第１のクライアントから送信されてきた電子メールを受信する電子メール受信工程と、前記電子メール受信工程で受信された電子メールの送信元アドレスが、あらかじめ登録されたユーザの電子メールアドレスと一致するか否かを判定する判定工程と、前記判定工程で、前記送信元アドレスがあらかじめ登録されたユーザの電子メールアドレスと一致すると判定された場合に、前記電子メールに添付されたファイルを前記ユーザのディレクトリに保存するファイル保存工程と、を含んだので、電子メールにファイルを添付して送信するだけで、当該ファイルをサーバにアップロードでき、これによって、文章ファイルや動画ファイルなど各種の素材が同期されたプレゼンテーションをネットワーク上で簡易かつ迅速に作成・公開することが可能な情報処理方法が得られるという効果を奏する。
【０１０９】
また、請求項７に記載の発明によれば、前記請求項４〜請求項６のいずれか一つに記載された方法をコンピュータに実行させることが可能なプログラムが得られるという効果を奏する。
【図面の簡単な説明】
【図１】この発明の実施の形態によるプレゼンテーション作成・公開システムの全体構成を示す説明図である。
【図２】この発明の実施の形態による情報処理装置上で作成・公開されるプレゼンテーションの一例を示す説明図である。
【図３】この発明の実施の形態によるプレゼンテーション作成・公開システムを構成する個々の機器のハードウエア構成の一例を示す説明図である。
【図４】この発明の実施の形態によるプレゼンテーション作成・公開システムの機能構成を示す説明図である。
【図５】本システムにおけるログイン画面の一例を示す説明図である。
【図６】本システムにおけるメイン画面の一例を示す説明図である。
【図７】本システムにおけるプレゼンテーション作成画面（プレゼンテーション登録画面）の一例を示す説明図である。
【図８】本システムにおけるプレゼンテーション作成画面（プレゼンテーション情報登録画面）の一例を示す説明図である。
【図９】本システムにおけるプレゼンテーション作成画面（特殊効果設定画面−１ページ目）の一例を示す説明図である。
【図１０】本システムにおけるプレゼンテーション作成画面（特殊効果設定画面−２ページ目）の一例を示す説明図である。
【図１１】本システムにおけるプレゼンテーション作成画面（シナリオ作成画面）の一例を示す説明図である。
【図１２】本システムにおけるプレゼンテーション作成画面（メディア時間設定画面）の一例を示す説明図である。
【図１３】本システムにおけるプレゼンテーション作成画面（同時実行メディア登録画面）の一例を示す説明図である。
【図１４】本システムにおけるプレゼンテーション作成画面（ＷＥＢページ登録画面）の一例を示す説明図である。
【図１５】本システムにおけるプレゼンテーション作成画面（シナリオ動作設定画面）の一例を示す説明図である。
【図１６】本システムにおけるプレゼンテーション作成画面（プレゼンテーション作成終了画面）の一例を示す説明図である。
【図１７】本システムにおけるプレゼンテーションリスト画面の一例を示す説明図である。
【図１８】本システムにおけるファイルリスト画面の一例を示す説明図である。
【図１９】本システムにおける閲覧認証画面の一例を示す説明図である。
【図２０】この発明の実施の形態によるプレゼンテーション作成・公開システムにおける、プレゼンテーションの作成から公開までの処理の手順を示すフローチャートである。
【図２１】この発明の実施の形態による情報処理装置上で作成・公開されるプレゼンテーションの他の一例を示す説明図である。
【符号の説明】
１００  ＳＭＩＳサーバ
１０１，１０２  クライアント
１０３  素材サーバ
３００  バス
３０１  ＣＰＵ
３０２  ＲＯＭ
３０３  ＲＡＭ
３０４  ＨＤＤ
３０５  ＨＤ
３０６  ＦＤＤ
３０７  ＦＤ
３０８  ＣＤ−ＲＷドライブ
３０９  ＣＤ−ＲＷ
３１０  ディスプレイ
３１１  キーボード
３１２  マウス
３１３  ネットワークＩ／Ｆ
３１４  通信ケーブル
４００ａ  ユーザＤＢ
４００ｂ  ログイン受付部
４００ｃ  プレゼンテーション作成部
４００ｄ  プレゼンテーションＤＢ
４００ｅ  ファイル生成部
４００ｆ  ファイル記憶部
４００ｇ  プレゼンテーション編集部
４００ｈ  ファイル受信部
４００ｉ  プレゼンテーション公開部
４０１ａ  ログイン受付部
４０１ｂ  プレゼンテーション作成部
４０１ｃ  プレゼンテーション編集部
４０１ｄ  ファイル送信部
４０２ａ  プレゼンテーション閲覧部
４０３ａ  ファイル記憶部
４０３ｂ  ファイル送信部
【図１】
2004240780.tif 000003
【図２】
2004240780.tif 000004
【図３】
2004240780.tif 000005
【図４】
2004240780.tif 000006
【図５】
2004240780.tif 000007
【図６】
2004240780.tif 000008
【図７】
2004240780.tif 000009
【図８】
2004240780.tif 000010
【図９】
2004240780.tif 000011
【図１０】
2004240780.tif 000012
【図１１】
2004240780.tif 000013
【図１２】
2004240780.tif 000014
【図１３】
2004240780.tif 000015
【図１４】
2004240780.tif 000016
【図１５】
2004240780.tif 000017
【図１６】
2004240780.tif 000018
【図１７】
2004240780.tif 000019
【図１８】
2004240780.tif 000020
【図１９】
2004240780.tif 000021
【図２０】
2004240780.tif 000022
【図２１】
2004240780.tif 000023